(57)【要約】【課題】無理な力をかけずに組立作業を容易にしたデジタル一眼レフカメラの表示装置を提供すること。【解決手段】カメラ本体１に対して回動可能な２軸ヒンジ３に結合された表示装置２を持つ撮像装置において、液晶パネルユニットと上ケース４と下ケース５で構成され、上ケース４と前記下ケース５の一方は樹脂で形成され、もう一方は樹脂ケースよりも剛性のある素材で形成され、上ケース４と下ケース５にはそれぞれ、上下ケースを固定するための複数の係止部６が同一面および対向する面上に複数設けられ、上ケース４と下ケース５の一方のケースに係止凸部６ａが形成され、もう一方のケースに係止凹部６ｂと位置決めリブ７が形成され、位置決めリブ７は係止凹部６ｂより外側になる高さとなっており、係止凹部６ｂのケースの開閉方向の反対側ケース側が一部傾斜部５ｂとなっている表示装置２を持つことを特徴とする。【選択図】図１
2018180314.tif 000002
【特許請求の範囲】
【請求項１】
カメラ本体に対して回動可能な２軸ヒンジに結合された表示装置を持つ撮像装置において、
液晶パネルユニットと上ケースと下ケースで構成され、前記上ケースと前記下ケースの一方は樹脂で形成され、もう一方は樹脂ケースよりも剛性のある素材で形成され、前記上ケースと前記下ケースにはそれぞれ、上下ケースを固定するための複数の係止部が同一面および対向する面上に複数設けられ、前記上ケースと前記下ケースの一方のケースに係止凸部が形成され、もう一方のケースに係止凹部と位置決めリブが形成され、前記位置決めリブは前記係止凹部より外側になる高さとなっており、係止凹部のケースの開閉方向の反対側ケース側が一部傾斜部となっている表示装置を持つことを特徴とする撮像装置。
【発明の詳細な説明】
【技術分野】
【０００１】
本発明は、表示装置、電子機器および撮像装置に関する。
【背景技術】
【０００２】
従来の撮像装置には、撮像素子から出力される画像信号・画像情報等をデータファイルとして記録するデジタルカメラ等の撮像装置が提案されている。撮像装置は、撮影レンズで撮像素子上に光学像を結像させ、撮像素子にて光電変換して得られた画像データ、例えばＪＰＥＧ等のファイル形式の画像データに圧縮処理を施す。撮像装置の背面には、撮像する被写体像の確認や、撮像された画像の再生表示に用いる表示装置が設けられている。表示装置は、例えば、液晶表示装置（ＬＣＤ）である。
【０００３】
図４（ａ）は、従来例の撮影装置本体であるデジタル一眼レフカメラ１を前方（被写体側）からみた斜視図を示す。図４（ｂ）は、従来例の撮影装置本体であるデジタル一眼レフカメラ１を後方（撮影者側）からみた斜視図を示す。デジタル一眼レフカメラ本体１には、撮影画像等を確認可能な表示装置２が設けられている。表示装置２は、例えば３．０インチ程度のＴＦＴ液晶パネルなどから構成されている。また、撮影画像等が表示される表示面２ａと背面２ｂと有している。表示装置２は、ヒンジ機構３によって、デジタル一眼レフカメラ本体１に対して開閉可能に結合されている。
【０００４】
図４（ｃ）は従来例のデジタル一眼レフカメラ１の表示装置２を開いた状態を後方から見た斜視図である。第一の回転中心軸Ａにより回転し、表示装置２が開いていて、且つ表示面２ａが後方を向いている状態である。この状態で、さらに第二の回転中心軸Ｂにより回転をさせることで、撮影者はより自由なアングルにて撮影を行うことが出来る。
【０００５】
以下に、従来例における第一の回転中心軸Ａ、第二の回転中心軸Ｂの回動範囲を説明する。第一の回転中心軸Ａの回動角度は図４（ｂ）の状態を０°とし、そこから矢印ａ方向に角度を増加させ、０°〜１７５°が回動範囲となる。第二の回転中心軸Ｂの回動角度は図４（ｃ）の状態を０°とし、そこから矢印ｂ方向に角度を増加させ、−９０°〜１８０°が回動範囲となる。
【０００６】
図５（ａ）に従来例の表示装置の斜視図、と図５（ｂ）に従来例の表示装置の側面図、図６（ａ）に従来例の表示装置の分解時の斜視図、図６（ｂ）に従来例の表示装置の分解時の側面図を示す。
【０００７】
表示装置２は液晶パネルユニットと上ケース４と下ケース５で構成されている。液晶パネルユニットは下ケース５側に両面テープなどで固定される。上ケース４と下ケース５にはそれぞれ、上下ケースを固定するための複数の係止部６が設けられ、それぞれ上ケース４に係止凸部６ａとそれに対応する下ケース５に係止凹部６ｂが形成されている。係止部６は表示装置２の表示面２ａに垂直な面に複数設けられる。上ケース４の係止凸部６ａを下ケース５の係止凹部６ｂに係止してケースを閉じ、ビス８で締結することで表示装置２を構成している。
【０００８】
図７に従来例の表示装置２の上下ケースが開かれた状態と上下ケースが閉じられた状態の係止部６のＣ断面図を示す。上ケース４と下ケース５が閉じられるときには上ケース４の係止凸部６ａが下ケース５の壁５ａの部分を常に擦りながらケースが閉じられる。電子機器のケースの構成においては、従来からさまざまな提案がなされている。
【０００９】
特許文献１で示されるように樹脂製のカバーと金属製のハウジングの固定方法について言及されている。カバーを樹脂製として意匠性を向上させるとともに、カバーのハウジングへの取り付けが容易であり、かつ上面の操作パネル面での操作等の際にもカバーが簡単には外れることがない音響調節器の筐体構造について提案されている。
【先行技術文献】
【特許文献】
【００１０】
【特許文献１】特開２０１５−６０９３３号公報
【発明の概要】
【発明が解決しようとする課題】
【００１１】
上下ケースを閉じる過程において、まず始めに上ケース４の係止凸部６ａが下ケース５の壁５ａと接触する。その後、上ケース４の係止凸部６ａが下ケース５の係止凹部６ｂに収まるまで、常に下ケース５の壁５ａと擦りながらケースが閉じられる。そのためケースが閉じられた状態となるまで上ケース４の係止凸部６ａが継続して下ケース５の壁５ａと接触するため組みつけに力を要し、組みたてにくくなっていた。また、係止凸部６ａが継続して擦れるため、下ケース５側に過度な摩耗が発生し、削り粉が混入してしまっていた。
【００１２】
本発明の目的は、無理な力をかけずに組立作業を容易にしたデジタル一眼レフカメラの表示装置を提供することにある。
【課題を解決するための手段】
【００１３】
上記の目的を達成するために、本発明に係る撮像装置は、
カメラ本体に対して回動可能な２軸ヒンジに結合された表示装置を持つ撮像装置において、液晶パネルユニットと上ケースと下ケースで構成され、前記上ケースと前記下ケースの一方は樹脂で形成され、もう一方は樹脂ケースよりも剛性のある素材で形成され、前記上ケースと前記下ケースにはそれぞれ、上下ケースを固定するための複数の係止部が同一面および対向する面上に複数設けられ、前記上ケースと前記下ケースの一方のケースに係止凸部が形成され、もう一方のケースに係止凹部と位置決めリブが形成され、前記位置決めリブは前記係止凹部より外側になる高さとなっており、係止凹部のケースの開閉方向の反対側ケース側が一部傾斜部となっている表示装置を持つことを特徴とする。
【発明の効果】
【００１４】
本発明によれば、無理な力をかけずに組立作業を容易にしたデジタル一眼レフカメラの表示装置を提供することが可能である。
【図面の簡単な説明】
【００１５】
【図１】（ａ）は本発明の第一の実施例である表示装置の分解時の斜視図、（ｂ）は本発明の第一の実施例である表示装置の分解時の側面図
【図２】（ａ）は本発明の第一の実施例である表示装置の上下ケースが閉じられた状態の係止部６のＤ断面図、（ｂ）は本発明の第一の実施例である表示装置の上下ケースが開かれた状態の係止部６のＤ断面図
【図３】本発明の第一の実施例である表示装置の上下ケースが開かれた状態から上下ケースが閉じられた状態へ遷移する際の係止部６のＤ断面図
【図４】（ａ）は従来例の撮影装置本体であるデジタル一眼レフカメラ１を前方（被写体側）からみた斜視図、（ｂ）は従来例の撮影装置本体であるデジタル一眼レフカメラ１を後方（撮影者側）からみた斜視図、（ｃ）は従来例のデジタル一眼レフカメラ１の表示装置２を開いた状態を後方（撮影者側）から見た斜視図
【図５】（ａ）は従来例の表示装置の斜視図、（ｂ）は従来例の表示装置の側面図
【図６】（ａ）は従来例の表示装置の分解時の斜視図、（ｂ）は従来例の表示装置の分解時の側面図
【図７】従来例の表示装置の上下ケースが開かれた状態と上下ケースが閉じられた状態の係止部６のＣ断面図
【発明を実施するための形態】
【００１６】
以下、本発明の好適な実施形態について、添付図面を参照して詳細に説明する。
【実施例１】
【００１７】
図１（ａ）は本発明の第一の実施例である表示装置２の分解時の斜視図、図１（ｂ）は本発明の第一の実施例である表示装置２の分解時の側面図である。図２（ａ）は本発明の第一の実施例である表示装置２のケースが閉じられた際の係止部６のＤ断面図、図２（ｂ）は本発明の第一の実施例である表示装置２の係止部６の分解時のＤ断面図である。
【００１８】
表示装置２の主な構成は従来例と同様である。下ケース５は例えば樹脂などで形成され、上ケース４は樹脂ケースよりも剛性のある素材で形成され、例えばアルミなどの金属で形成されている。ケース同士の位置を決めるための複数の位置決めリブ７が、上ケース４と下ケース５の係止部６と同一面および対向する面上に対して下ケース５に設けてある。なお、係止部６の効果を持たせるために、上ケース４の係止凸部６ａの高さは下ケース５の位置決めリブ７の高さよりも内側に設定され、位置決めリブ７は下ケース５の係止凹部６ｂより外側になる高さに設定される。
【００１９】
図３の本発明の第一の実施例である表示装置の上下ケースが開かれた状態から上下ケースが閉じられた状態へ遷移する際の係止部６のＤ断面図を用いて、本実施例の詳細を説明する。
【００２０】
上ケース４と下ケース５のケースが閉じられる際、下ケース５の係止凹部６ｂとは別の箇所に構成された位置決めリブ７が上ケース４に先あたりし、上ケース４を変形させる（図３（１））。図３（２）の状態までケースを閉じていくと、上ケース４の係止凸部６ａは下ケース５の傾斜部５ｂ付近に移動する。傾斜部５ｂは下ケース５の係止凹部６ｂの位置に対応して、ケースの開閉方向の上ケース４側の下ケース５に設けられる。下ケース５に傾斜部５ｂがあるため、上ケース４の係止凸部６ａは下ケース５と接触していない。さらに図３（３）の状態までケースを閉じていくと、上ケース４の係止凸部６ａが下ケース５に当接し始めるが、下ケース５に傾斜部５ｂがついているため、従来よりも摩耗が少なく、無理な力をかけずに組立作業が可能である。図３（４）の係止状態までケースを閉じていくと上ケース４の係止凸部６ａが下ケース５の係止凹部６ｂに係合される。最後に従来と同様にビスで締結し、固定を行う。
【００２１】
上述の構成により、上ケース４の係止凸部６ａと下ケース５が接触する範囲を最小限にすることができるため、従来構成と比べて無理な力をかけることなく組立作業が容易になる、また、相手ケースへのダメージを最小限に抑えることが可能となる。
【００２２】
以上、本発明の好ましい実施形態について説明したが、本発明はこれらの実施形態に限定されず、その要旨の範囲内で種々の変形及び変更が可能である。
【符号の説明】
【００２３】
１  デジタル一眼レフカメラ本体、２  表示装置、３  ヒンジ機構、４  上ケース、
５  下ケース、５ａ  下ケース５の壁、５ｂ  傾斜部、６  係止部、
６ａ  係止凸部、６ｂ  係止凹部、７  位置決めリブ、８  ビス
【図１】
2018180314.tif 000003
【図２】
2018180314.tif 000004
【図３】
2018180314.tif 000005
【図４】
2018180314.tif 000006
【図５】
2018180314.tif 000007
【図６】
2018180314.tif 000008
【図７】
2018180314.tif 000009